【事件の表示】
　平成　９年特許願第２２９５６８号「照明装置」拒絶査定不服審判事件〔平成１１年　３月　９日出願公開、特開平１１−　６７４７１号〕について、次のとおり審決する。
【結　論】
　本件審判の請求は、成り立たない。
【理　由】
第１　手続の経緯
　本件出願は、平成９年８月２６日の出願であって、平成１９年７月１９日付けで拒絶査定がされ、この査定に対し同年８月２２日付けで本件審判が請求されるとともに、同日付けで手続補正（前置補正）がなされ、これに対して、当審において平成２１年２月２７日付けで拒絶理由を通知したところ、平成２１年４月２７日付けで意見書が提出されるとともに、同日付けで手続補正がなされたものである。
　
第２　本願発明について
１．　本願発明
　本件出願の請求項１〜３に係る発明は、平成２１年４月２７日付け手続補正書により補正された明細書の特許請求の範囲の請求項１〜３に記載された事項により特定されるものと認められるところ、そのうちの請求項１に係る発明（以下「本願発明」という。）は、次のとおりである。
　「【請求項１】交流電源に入力端子を接続した全波整流回路と、
　この全波整流回路の出力端子にインダクタを介して接続したスイッチ素子と、
　前記全波整流回路の出力端子に前記インダクタ及びダイオードを直列に介して接続した平滑コンデンサと、
　この平滑コンデンサに並列に接続した複数個の発光ダイオードを直列接続した回路を１又は複数設けた点灯回路と、
　点灯、調光、消灯を制御するためのスレッショルド電圧を有し、このスレッショルド電圧と前記スイッチ素子に流れる電流に応じたレベルの電圧との比較により前記スイッチ素子をオン、オフ動作させる制御回路とを備え、
　前記スレッショルド電圧は、前記全波整流回路の出力端子の電圧に相関して且つ前記平滑コンデンサの端子電圧と前記端子電圧に対する比較用の基準電圧との差分に相関して変化させるとともに、
　点灯時に前記平滑コンデンサの端子間電圧が前記全波整流回路の出力端子の電圧のピークよりも高くかつ前記各発光ダイオードの順方向電圧の総和と等しくなるように設定することを特徴とする照明装置。」
　
２．引用刊行物とその記載事項
（１）　刊行物１の記載内容
　当審における、平成２１年２月２７日付けで通知した拒絶の理由に引用した本願の出願日前に頒布された刊行物である特開平９−７４２２４号公報（以下「刊行物１」という。）には、図面とともに、次の技術的事項が記載されている。
　（ア）「【００６０】図７に示す第５実施例は、基本的な制御回路の動作としては第１、第２実施例と同じ入力電圧モニタ方式である。また、第１〜第４実施例が降圧型の構成であるのに対しＬＥＤを複数接続する昇圧型の構成でもある。」
　（イ）「【００６４】（第６の実施例）次に本発明の第６実施例について説明する。第６実施例は前実施例が入力電圧、又は出力電流をモニタして出力エネルギー量の一定化制御を行ったのに対し、出力電圧をモニタする電圧制御方式である。図８は本発明の第６実施例に係る点灯回路の回路図である。」
　（ウ）「【００６６】・・（中略）・・平滑電圧ＶはＬＥＤ２の電流／電圧特性、例えば順方向電圧に相当するよう決定し、電圧と電流は１対１の対応より電圧が決定されればＬＥＤ２に流れる電流も一義的に決定される制御となる。以上、説明したように第６実施例では、電圧制御型の回路構成なので通常市販型のＤＣ／ＤＣコンバータ回路用ＩＣ等の流用が可能になり、回路構成が簡単で且つ回路動作が理解し易いものとすることができる。」
　（エ）「【００６８】なお、本実施例では、その制御電圧をふれる（可変）様にすれば、ＬＥＤ点灯電流を変化させることも可能になる。」
　（オ）「【００７３】なお、図８、図９に示した点灯回路はＬＥＤ以外の表示、照明素子にも適用可能であり、例えば、タングステン灯等のランプ素子をＬＥＤの代りに接続しても良く、効率の良い点灯回路を構成することができる。更に、ＬＥＤとしては、単体のみならず、先の実施例の何れの場合も複数のＬＥＤの直列接続回路、又は並列接続回路、直並列接続回路等にて構成することも可能である。」
　
　ここで、上記記載事項及び図面の図示内容から次のことが明らかである。
　・図８の点灯回路は、降圧型の構成であが、記載事項（ア）に「第１〜第４実施例が降圧型の構成であるのに対しＬＥＤを複数接続する昇圧型の構成でもある。」と、降圧型の構成と昇圧型の構成とが互換性のあるものとして取り扱われている事から、図８の点灯回路のＤＣ／ＤＣコンバータ部を図７記載のような昇圧型の構成とすることも記載されているといえる。
　そして、図７においてＤＣ／ＤＣコンバータ部は、電源１にインダクタ６を介して接続した半導体スイッチ５を有するものとして構成されている。
　また、昇圧型とすることに伴い、平滑コンデンサの端子間電圧が電源電圧よりも高く設定されることも自明である。
　・図８の負荷のＬＥＤは、単体の形態で記載されているが、記載事項（オ）に「複数のＬＥＤの直列接続回路、又は並列接続回路、直並列接続回路等にて構成することも可能である」とされている事から、図８の負荷を複数個の発光ＬＥＤを直列接続した回路を１又は複数設けた回路とすることも記載されているといえる。
　また、負荷を複数個の発光ＬＥＤを直列接続した回路とすることに伴い、記載事項（ウ）の「順方向電圧に相当するよう決定」されていた平滑電圧Ｖは、各発光ダイオードの順方向電圧の総和と等しくなるように設定されることは自明である。
　
　すると、特に、第８図示の実施例に着目し、上記の事項を総合すると刊行物１には、次の発明（以下「引用発明」という。）が開示されているものと認められる。
　「電源１と、
　電源１にインダクタを介して接続した半導体スイッチと、
　電源１にインダクタを直列に介して接続した平滑コンデンサと、
　この平滑コンデンサに並列に接続した複数個の発光ダイオードを直列接続した回路を１又は複数設けた点灯回路と、
　平滑コンデンサの端子電圧をモニタして前記半導体スイッチをオン、オフ動作させる制御回路とを備え、
　点灯時に前記平滑コンデンサの端子間電圧が電源電圧よりも高くかつ前記各発光ダイオードの順方向電圧の総和と等しくなるように設定する照明装置。」
　
（２）刊行物２の記載内容
　同じく、本願の出願日前に頒布された刊行物である特開平６−３８５１３号公報（以下「刊行物２」という。）には、図面とともに、次の技術的事項が記載されている。
　（カ）「【０００２】
【従来の技術】従来の高力率電源は専用アナログＩＣを利用している。その代表的なＩＣにシーメンス社のＴＤＡ４８１４があり、その具体的な回路構成を図５〜図６に示す。尚、図５はチョッパ回路、図６はその制御回路を示す。同図において、全波整流器ＤＩの出力電圧１、昇圧用トランスＳＴの一次側流れる電流２、電界効果型トランジスタＱを流れる電流３、ＤＣ出力となる二次電圧４をそれぞれ検出し、その状態からトランジスタＱのゲート駆動信号５を作り出している。
【０００３】次に、動作について説明する。まず、二次電圧４と出力基準電圧を用いて制御アンプ６により差を取り、乗算器７による、差と全波整流器ＤＩの出力電圧１の電圧波形の積をした電圧を作る。これはある瞬間の入力電圧値に比例した電圧であり、これに合うまでトランジスタＱをオンさせる。合ったかどうかは比較器８により、トランジスタＱの出力電圧（３）と乗算器７の出力とで判断する。合ったと判断した場合トランジスタＱをオフし、昇圧用トランスＳＴに流れる電流が零になるまでオフし続け、零になったらまたトランジスタＱをオンする。以上のことを繰り返すことにより、図７に示す様な電流波形でトランスＳＴを流れる。これを電圧波形の二分の一周期だけ見ると図８のよ様になる。このノコギル波を入力のノイズフィルターＮＦにより平滑することにより、８において１１で示すような入力電圧に同期の取れたＳＩＮウエーブの電流波形となる。この方式では入力電圧に合わせて周波数が変わるものとなり、広い周波数のノイズフィルターＮＦを必要となっていた。また高力率化を行なうために、入力電圧またはチョッパー型昇圧回路のチョークに流れる電流を検出するなどしてスイッチング素子のＯＮ時間をコントロールするなど回路的にみても複雑になっていた。その他にアナログ的にドライブパルスを作り出しているため、各部品の定数の決定が難しいものとなっていた。」
　
　ここで、上記記載事項及び図面の図示内容から次のことが明らかである。
　・図５のチョッパ回路の全波整流器ＤＩの入力側は、図１記載の様に交流電源を接続することが慣用構成であるので、全波整流器ＤＩは、実質的に交流電源に入力端子を接続した全波整流回路といえる。
・図５のチョッパ回路の昇圧用トランスＳＴは、チョッパ回路の昇圧用トランスであるので、インダクタといえる。
・図５のチョッパ回路のＤＣ出力となる二次電圧４が生ずる部位に配されたコンデンサの少なくとも一つは、チョッパ回路がＤＣ出力が生ずるものであるので、平滑コンデンサといえる。
・図６の制御回路の乗算器７の出力は、比較器８で「トランジスタＱの出力電圧（３）と乗算器７の出力と」が「合ったと判断した場合トランジスタＱをオフ」するものであるので、スレッショルド電圧といえる。
　また、該スレッショルド電圧は、「二次電圧４と出力基準電圧を用いて制御アンプ６により差を取り、乗算器７による、差と全波整流器ＤＩの出力電圧１の電圧波形の積をした電圧を作る」ことで発生されたものであるので、全波整流回路の出力端子の電圧に相関して且つ前記平滑コンデンサの端子電圧と前記端子電圧に対する比較用の基準電圧との差分に相関して変化させるものといえる。
・図５のチョッパ回路は昇圧を意図したものであるので、ＤＣ出力となる二次電圧４、すなわち、平滑コンデンサの端子間電圧は、全波整流回路の出力端子の電圧のピークよりも高くなるように設定されるものといえる。
・図５のチョッパ回路の全波整流器ＤＩの出力側の回路は、直流を昇圧するものであり、所謂ＤＣ／ＤＣコンバータといえる。
　
　すると、上記の事項を総合すると刊行物２には、従来の技術として次の発明が開示されているものと認められる。
　「交流電源に入力端子を接続した全波整流回路と、
　この全波整流回路の出力端子にインダクタを介して接続したスイッチ素子と、
　前記全波整流回路の出力端子に前記インダクタ及びダイオードを直列に介して接続した平滑コンデンサと、
　ＤＣ／ＤＣコンバータの動作を制御するためのスレッショルド電圧を有し、このスレッショルド電圧と前記スイッチ素子に流れる電流に応じたレベルの電圧との比較により前記スイッチ素子をオン、オフ動作させる制御回路とを備え、
　前記スレッショルド電圧は、前記全波整流回路の出力端子の電圧に相関して且つ前記平滑コンデンサの端子電圧と前記端子電圧に対する比較用の基準電圧との差分に相関して変化させるとともに、
　前記平滑コンデンサの端子間電圧が前記全波整流回路の出力端子の電圧のピークよりも高くなるように設定する高力率電源回路。」
　
（３）刊行物３の記載内容
　同じく、本願の出願日前に頒布された刊行物である特開平６−５３７４号公報（以下「刊行物３」という。）には、図面とともに、次の技術的事項が記載されている。
　（キ）「【０００７】次に、スタート回路３により、ＩＣ回路２を起動し、電界効果トランジスタQ1のゲートにゲート信号を出力し、電界効果トランジスタQ1はチョッピング動作を開始する。また、電界効果トランジスタQ1のターンオフ時の値がチョークコイルL1に流れる最高瞬時電流であるピーク電流値に対応し、チョーク電流検出回路６でチョークコイルL1に流れるピーク電流を検出すると、ＩＣ回路２により電界効果トランジスタQ1をオフさせる。なお、この所定値は、ＩＣ回路２により、脈流電圧検出回路５で検出される脈流の瞬時値と、出力電圧検出回路８で検出される出力電圧の瞬時値との積に比例する値に設定される。」
　
（４）刊行物４の記載内容
　同じく、本願の出願日前に頒布された刊行物である特開平６−２７６７４８号公報（以下「刊行物４」という。）には、図面とともに、次の技術的事項が記載されている。
　（ク）「【００１６】力率改善用制御回路２０は、図８の従来回路で使用したものと同様であり、誤差増幅器６、乗算器７、コンパレータ８及びフリップフロップ回路９を有し、出力端子１２，１３間の直流出力電圧Ｖoutを抵抗Ｒ４，Ｒ５で分圧した電圧が誤差増幅器６に印加され、両波整流回路を構成したダイオードＤ２，Ｄ３の出力電圧（コンデンサＣ３の両端の電圧）が抵抗Ｒ１，Ｒ２で分圧されて電圧値Ｖiとして乗算器７に印加される。また、抵抗Ｒ８によって検出されるパワーＭＯＳＦＥＴ Ｑ３の電流比例値Ｖi3がコンパレータ８に印加され、チョークコイルＬ２の二次検出巻線５１及び抵抗Ｒ７の直列回路の誘起電圧はパワーＭＯＳＦＥＴＱ３への駆動信号発生用フリップフロップ回路９に加えられる（フリップフロップ回路９は該誘起電圧が零でパワーＭＯＳＦＥＴ Ｑ３をオンにする駆動信号を発生する。）。」
　
（５）刊行物５の記載内容
　同じく、本願の出願日前に頒布された刊行物である特開平３−１２９８８４号公報（以下「刊行物５」という。）には、図面とともに、次の技術的事項が記載されている。
　（ケ）「〔従来の技術〕・・（中略）・・特に表示素子としてＬＥＤ（順方向電圧が１．４ｖ程度）を組み込む場合は、その駆動回路に昇圧回路を組み込むことが行われている。
　この昇圧回路として、第２図に示すコイルの逆起電力を利用する方法がある。これは、制御回路ｌによりスイッチＳｌをオンして、入力端子２から流入する電流をコイルＬとスイッチＳ1を経由して接地に流してそのコイルＬにエネルギーを蓄え、次にスイッチＳ１をオフした時にそのコイルＬから放出されるエネルギー電圧をダイオードＤ1を経由してコンデンサＣ１に充電し出力端子３に出力するようにしたものである。」（第１頁右下欄第１行〜第１９行）
　
（６）刊行物６の記載内容
　同じく、本願の出願日前に頒布された刊行物である特開平１−２１１１０８号公報（以下「刊行物６」という。）には、図面とともに、次の技術的事項が記載されている。
　（ケ）「本実施例においては、基準電位Ｖrefの調整によって発振器３の出力がハイレベルである期間を調整できる。換言すればインダクタンス１の蓄積エネルギーを調整できるので、発光ダイオードの発光量を容易に調整できる。」（第３頁左下欄第１７行〜右下欄第１行）
　
（７）刊行物７の記載内容
　同じく、本願の出願日前に頒布された刊行物である実願昭６３−１１２１３８号（実開平２−３３４６５号）のマイクロフィルム（以下「刊行物７」という。）には、図面とともに、次の技術的事項が記載されている。
　（コ）「第５図はこうした発光ダイオードの点灯・消灯並びに輝度を制御する調光回路の一例を示している。」（明細書第３頁第６行〜第８行）
　
３．　本願発明と引用発明との対比 
（１）両発明の対応関係
　・引用発明の「電源１」と、本願発明の「交流電源に入力端子を接続した全波整流回路」及び「全波整流回路の出力端子」とは、両者共に、所謂ＤＣ／ＤＣコンバータに入力側に接続されてＤＣ電力を供給する「電源」であるので、「電源」である点において共通する。
　・引用発明の「平滑コンデンサの端子電圧をモニタして前記半導体スイッチをオン、オフ動作させる」と、本願発明の「スレッショルド電圧は、前記全波整流回路の出力端子の電圧に相関して且つ前記平滑コンデンサの端子電圧と前記端子電圧に対する比較用の基準電圧との差分に相関して変化させる」を前提とする「点灯、調光、消灯を制御するためのスレッショルド電圧を有し、このスレッショルド電圧と前記スイッチ素子に流れる電流に応じたレベルの電圧との比較により前記スイッチ素子をオン、オフ動作させる」とは、「平滑コンデンサの端子電圧に相関してスイッチ素子をオン、オフ動作させる」点において共通する。
　・引用発明の「電源電圧」と、本願発明の「全波整流回路の出力端子の電圧のピーク」とは、両者共に、「電源電圧」である点において共通する。
　
（２）両発明の一致点
　「電源と、
　電源にインダクタを介して接続したスイッチ素子と、
　電源に前記インダクタを直列に介して接続した平滑コンデンサと、
　この平滑コンデンサに並列に接続した複数個の発光ダイオードを直列接続した回路を１又は複数設けた点灯回路と、
　平滑コンデンサの端子電圧に相関してスイッチ素子をオン、オフ動作させる制御回路とを備え、
　点灯時に前記平滑コンデンサの端子間電圧が電源電圧よりも高くかつ前記各発光ダイオードの順方向電圧の総和と等しくなるように設定する照明装置。」
　
（３）両発明の相違点
（ア）「電源」が、本願発明は「交流電源に入力端子を接続した全波整流回路」及び「この全波整流回路の出力端子」であるのに対して、引用発明は、その様なものでない点。
（イ）電源に「インダクタを直列に介して接続した平滑コンデンサ」が、本願発明は、「インダクタ及びダイオードを直列に介して接続した平滑コンデンサ」であるのに対して、引用発明は、ダイオードを直列に介して接続したものではない点。
（ウ）「平滑コンデンサの端子電圧に相関してスイッチ素子をオン、オフ動作させる制御回路」が、本願発明は「点灯、調光、消灯を制御するためのスレッショルド電圧を有し、このスレッショルド電圧とスイッチ素子に流れる電流に応じたレベルの電圧との比較により前記スイッチ素子をオン、オフ動作させる制御回路」であって、「スレッショルド電圧は、全波整流回路の出力端子の電圧に相関して且つ平滑コンデンサの端子電圧と前記端子電圧に対する比較用の基準電圧との差分に相関して変化させる」ものであるのに対して、引用発明は、その様なものと特定されていない点。
（エ）「平滑コンデンサの端子間電圧」の設定が、本願発明は「全波整流回路の出力端子の電圧のピークよりも高く」設定するのに対して、引用発明は、「電源電圧よりも高く」と表現されるものである点。
　
４．　容易推考性の検討
（１）相違点（ア），（エ）に関して、
（ａ）まず、所謂ＤＣ／ＤＣコンバータの入力側に接続されてＤＣ電力を供給する「電源」にとして、交流電源を全波整流回路で整流したものは、例えば、刊行物２−４に記載されているように周知慣用のものであり、引用発明の電源として、該周知慣用のものを用いることに困難性は認められない。
　なお、刊行物２−４記載のＤＣ／ＤＣコンバータは、負荷をＬＥＤに特定したものではないが、そのことが、引用発明の電源として該周知技術を用いることを困難とするほどの技術的事項であるとは認められない。
（ｂ）さらに、前記引用発明の電源として、周知慣用の交流電源を全波整流回路で整流したものを用いることにともない、引用発明が交流電源を全波整流回路で整流した電源を用いるＤＣ／ＤＣコンバータではないため「電源電圧よりも高く」設定と表現されていた引用発明の平滑コンデンサの端子間電圧を、交流電源を全波整流回路で整流した電源に対応した「全波整流回路の出力端子の電圧のピークよりも高く」設定と表現することにも困難性は認められない。
（ｃ）そうすると、引用発明の電源を、刊行物２−４に記載されている様な周知の交流電源を全波整流回路で整流したものとして、本願発明の相違点（ア）、（エ）に係る発明特定事項とするとすることは、当業者にとって容易想到の範囲というべきものである。
　
（２）相違点（イ）に関して、
　所謂ＤＣ／ＤＣコンバータの平滑コンデンサを「インダクタ及びダイオードを直列に介して接続」することは、刊行物２，３，５等に記載されているように周知慣用のものであり、引用発明の平滑コンデンサの接続形態を該周知慣用のものとして、本願発明の相違点（イ）に係る発明特定事項とするとすることは、当業者にとって容易想到の範囲というべきものである。　
　
（３）相違点（ウ）に関して、
（ａ）まず、刊行物１の記載事項（エ）には「制御電圧をふれる（可変）様にすれば、ＬＥＤ点灯電流を変化させることも可能になる」とも記載されており、照明技術分野において、点灯電流を変化させることは、所謂調光を意図して慣用される制御形態である事（例えば、刊行物６では「発光量を調整」と表現されている。）を考慮すると、上記記載は所謂調光も示唆するものとも認識される。
　そして、照明装置の調光態様として、「点灯、調光、消灯」状態とする態様が周知のもの（例示として、刊行物７参照）であるので、引用発明の照明装置を点灯、調光、消灯に制御出来るものとすることに困難性は認められない。
（ｂ）一方、刊行物２には、「スレッショルド電圧とスイッチ素子に流れる電流に応じたレベルの電圧との比較により前記スイッチ素子をオン、オフ動作させる制御回路」を備え、「スレッショルド電圧は、全波整流回路の出力端子の電圧に相関して且つ平滑コンデンサの端子電圧と前記端子電圧に対する比較用の基準電圧との差分に相関して変化させる」形式のＤＣ／ＤＣコンバータが記載されており、上記（１）記載の様に、引用発明の電源として、交流電源を全波整流回路で整流したものを用いるのに伴って、スイッチ素子をオン、オフ動作させる制御回路の具現化構成として、該構成を採用することに困難性は認められない。
　なお、当該形式のＤＣ／ＤＣコンバータは、刊行物３，４にも記載されているように周知慣用のものでもある。
（ｃ）さらに、刊行物６の記載事項（ケ）には、スレッショルド電圧に相当する基準電圧Ｖrefの調整によって発光量を調整出来ることも記載されており、引用発明の照明装置を上記（ａ）指摘のように、点灯、調光、消灯に制御出来るものとするとともに、上記（ｂ）の構成で具現化するに伴い、その基準値（スレッショルド）を、点灯、調光、消灯に対応したものとすることで調光することにも困難性は認められない。
（ｄ）そうすると、引用発明の照明装置を点灯、調光、消灯状態に制御出来るものとするとともに、スイッチ素子をオン、オフ動作させる制御回路として上記刊行物２記載の形式のものを採用し、刊行物６記載の様に基準値（スレッショルド）を、所望の点灯状態に対応するものとして調光する制御を具現化して、相違点（ウ）に係る発明特定事項とすることも、当業者にとって容易想到の範囲というべきである。
　
（４）総合判断
　本願発明の作用効果は、引用発明及び刊行物１〜７に記載された事項、及び、上記周知事項から、当業者であれば予測できた範囲のものである。
　すると、本願発明は、引用発明及び刊行物１〜７に記載された事項、及び、上記周知事項に基づいて当業者が容易に発明をすることができたものということができる。
　
５．　むすび
　したがって、本願発明（請求項１に係る発明）については、特許法第２９条第２項の規定により特許を受けることができない。
　そうすると、このような特許を受けることができない発明を包含する本願は、本願の他の請求項に係る発明について検討するまでもなく拒絶されるべきものである。
　よって、結論のとおり審決する。